(57)【特許請求の範囲】
【請求項１】
電子装置の物流管理方法であって、
指定された条件に基づいて複数の注文をトートセットに割り当てる段階と、
前記トートセットに含まれた少なくとも１つのトートを確認する段階と、
前記トートセットに含まれた物品の特性に基づいて、前記トートセットに対応するステーションセットを確認する段階と、
前記ステーションセットに含まれた少なくとも１つのステーションのうちいずれか１つを前記少なくとも１つのトートの少なくとも１つの目的地として決定する段階と、
前記トートセットに含まれた各トートの移動状態に関する情報及び前記トートセットの出庫要請時間情報を表示する段階と、
を含み、
前記複数の注文を割り当てる段階は、１つのトートセットに割り当てられた注文が同じ出庫要請時間特性及び同じ梱包特性を有するように前記複数の注文を割り当てる段階を含む、
物流管理方法。
【請求項２】
前記ステーションセットに含まれた少なくとも１つのステーションのうちいずれか１つを前記少なくとも１つのトートの少なくとも１つの目的地として決定する段階は、
前記ステーションセットが複数のステーションを含む場合、所定のスケジューリング方式を用いて、前記複数のステーションのうちいずれか１つを前記少なくとも１つのトートの目的地として決定する段階を含む、請求項１に記載の物流管理方法。
【請求項３】
前記少なくとも１つのステーションは、前記トートに含まれた物品の梱包作業を行うための場所に対応する、請求項１に記載の物流管理方法。
【請求項４】
前記少なくとも１つのステーションセットは、物品の梱包作業に関連したステーションを含む第１ステーションセットと、物品の分類作業に関連したステーションを含む第２ステーションセットと、を含む、請求項１に記載の物流管理方法。
【請求項５】
前記トートセットに関する情報および前記トートセットに対応するステーションセットに関する情報を表示する段階をさらに含む、請求項１に記載の物流管理方法。
【請求項６】
前記トートセットに関する情報は、
前記トートセットに含まれた少なくとも１つのトートの作業状態情報に関する情報を含む、請求項５に記載の物流管理方法。
【請求項７】
作業状態情報に関する前記情報は、
少なくとも１つのトートの集品が完了するか否かに関する情報及び少なくとも１つのトートの梱包が完了するか否かに関する情報のうち、少なくともいずれか１つの情報を含む、
請求項６に記載の物流管理方法。
【請求項８】
前記トートセットに含まれた各トートの移動状態に関する情報及び前記トートセットの出庫要請時間情報を表示する段階は、
作業状態情報に関する前記情報に基づいて、少なくとも１つの集品が完了したトートの中で梱包が完了しているトートを、梱包が完了していないトートと比較して異なる方法で表示する段階を含む、
請求項７に記載の物流管理方法。
【請求項９】
前記作業情報を表示する段階は、
前記トートセットに含まれた各トートの梱包が完了したことに対応して、前記トートセットに関する情報を表示される情報から除外する段階を含む、請求項８に記載の物流管理方法。
【請求項１０】
前記トートセットに含まれた各トートの移動状態に関する情報及び前記トートセットの出庫要請時間情報を表示する段階は、
前記トートセットに対応するトートセット識別情報および前記トートセットに含まれたトートに対応するトート識別情報を表示する段階と、
前記トートセット識別情報または前記トート識別情報を選択するユーザ入力に基づいて、前記選択された情報に対する詳細情報を表示する段階とをさらに含む、請求項８に記載の物流管理方法。
【請求項１１】
前記詳細情報は、前記トートに含まれた物品の注文に関連した情報を含む、請求項１０に記載の物流管理方法。
【請求項１２】
電子装置であって、
通信モジュールと、
ディスプレイと、
プロセッサーと、を含み、前記プロセッサーは、
指定された条件に基づいて複数の注文をトートセットに割り当て、
前記トートセットに含まれた少なくとも１つのトートを確認し、
前記トートセットに含まれた物品の特性に基づいて、前記少なくとも１つのトートに対応するステーションセットを確認し、
前記ステーションセットに含まれた少なくとも１つのステーションのうちいずれか１つを前記少なくとも１つのトートの少なくとも１つの目的地として決定し、および
前記トートセットに含まれた各トートの移動状態に関する情報及び前記トートセットの出庫要請時間情報を表示するように設定され、
前記複数の注文を割り当てることは、１つのトートセットに割り当てられた注文が同じ出庫要請時間特性及び同じ梱包特性を有するように前記複数の注文を割り当てることを含む、
電子装置。
【請求項１３】
前記プロセッサーは、
前記ステーションセットが複数のステーションを含む場合、所定のスケジューリング方式を用いて前記複数のステーションのうちいずれか１つを前記トートの目的地として決定するように設定された、請求項１２に記載の電子装置。
【請求項１４】
前記プロセッサーは、
前記ディスプレイを用いて前記トートセットに関する情報および前記トートセットに対応するステーションセットに関する情報を表示するように設定された、請求項１２に記載の電子装置。
【請求項１５】
前記プロセッサーは、
作業状態情報に関する情報を表示するように設定された、請求項１４に記載の電子装置。
【請求項１６】
前記作業状態情報に関する情報は、
少なくとも１つのトートの集品が完了するか否かに関する情報及び少なくとも１つのトートの梱包が完了するか否かに関する情報のうち、少なくともいずれか１つの情報を含み、
前記プロセッサーは、
前記集品完了したトートのうち梱包が完了したトートを梱包完了前の状態のトートと異なる方式で表示する、請求項１５に記載の電子装置。
【請求項１７】
物流管理方法であって、
指定された条件に基づいて複数の注文をトートセットに割り当てる段階と、
前記トートセットに含まれた少なくとも１つのトートを確認する段階と、
前記トートセットに含まれた物品の特性に基づいて、前記少なくとも１つのトートの目的地を決定する段階と、
前記トートセットに含まれた各トートの移動状態に関する情報及び前記トートセットの出庫要請時間情報を表示する段階と、
を含み、
前記少なくとも１つのトートの目的地を決定する段階は、
前記トートセットに対応するステーションセットを確認する段階と、
前記ステーションセットに含まれた少なくとも１つのステーションのうちいずれか１つをラウンドロビン方式を用いて前記少なくとも１つのトートの目的地として決定する段階と、を含み、
前記複数の注文を割り当てる段階は、１つのトートセットに割り当てられた注文が同じ出庫要請時間特性及び同じ梱包特性を有するように前記複数の注文を割り当てる段階を含む、
物流管理方法。
【請求項１８】
前記トートセットに関する情報および前記ステーションセットに関する情報を表示する段階をさらに含む、
請求項１７に記載の物流管理方法。
【請求項１９】
前記トートセットに関する情報は、前記少なくとも１つのトートの集品作業完了の有無および梱包作業完了の有無に関する情報のうち少なくとも１つを含む、請求項１８に記載の物流管理方法。
【請求項２０】
前記ステーションセットに含まれた前記少なくとも１つのステーションは、前記トートに含まれた物品の梱包作業を行うための場所に対応する、請求項１７に記載の物流管理方法。
【発明の詳細な説明】
【技術分野】
【０００１】
本開示の多様な実施形態は、物流管理方法およびこれを行う電子装置に関する。
【背景技術】
【０００２】
インターネットの使用が普遍化するに伴い、電子商取引市場が拡大している。電子商取引市場は、オンライン上でネットワークを介して取引が行われ、電子商取引で取引が行われた商品は、配送サービスを通じて顧客が設定した配送地に配送され得る。このように電子商取引市場が拡大する傾向に応じて、販売者と購買者間の売買を仲介し、配送サービスを提供する売買仲介サービスも活性化している。
【０００３】
例えば、売買仲介サービスを提供する物流管理システムは、生産者から伝達を受けた物品を入庫して特定の物流センターの倉庫に保管して、購買者（顧客）から特定物品の配送要請（例：注文）が発生すると、当該物品を倉庫から出庫して配送員を介して購買者に配送することができる。
【０００４】
このような環境で配送量が増える場合、物流センターで増えた配送量を処理するための措置が必要である。より具体的には、物流センター内で配送されるべき物品を収集し、これを梱包するための効率的なプロセスを提供する方法およびこれを用いたシステムが要求される。
【発明の概要】
【発明が解決しようとする課題】
【０００５】
物流管理サービスは、物流センターに膨大な数量の物品を保管および管理しなければならないので、物流センターに入庫された商品が出庫されるまでの処理過程においてより効率的かつ体系的な方式で物品を保管、移動、分類、および梱包するための方案を用意する必要がある。
【０００６】
上述した問題点を解決するために、本開示は、物流センターで顧客の注文に対応して集品された物品を効率的に梱包できるように物流センター内で物品の移動を指示する方法およびこれを管理するシステムを提供することを目的とする。
【０００７】
本開示の多様な実施形態は、物流センターに入庫された物品を効果的に管理および処理するための方法および装置を提案しようとする。
【課題を解決するための手段】
【０００８】
多様な実施形態に係る物流管理方法は、トートセットに含まれた少なくとも１つのトートを確認する段階と、前記少なくとも１つのトートに含まれた物品の特性に基づいて、少なくとも１つのステーションセットのうち前記少なくとも１つのトートに対応するステーションセットを確認する段階と、前記確認されたステーションセットに含まれた少なくとも１つのステーションのうちいずれか１つを前記少なくとも１つのトートに対応する目的地として決定する段階と、を含むことができる。
【０００９】
多様な実施形態に係る電子装置は、通信モジュールと、プロセッサーとを含み、前記プロセッサーは、トートセットに含まれた少なくとも１つのトートを確認し、前記少なくとも１つのトートに含まれた物品の特性に基づいて前記少なくとも１つのトートに対応するステーションセットを確認し、前記確認されたステーションセットに含まれたステーションのうちいずれか１つを前記少なくとも１つのトートに対応する目的地として決定するように設定され得る。
【発明の効果】
【００１０】
多様な実施形態に係る物流管理方法は、少なくとも一部のトートセットに対して別途の分類作業を経ることなく、集品された物品が梱包作業を経て直ちに出庫され得るようにして、出庫プロセスを簡素化し、物流センターにおけるリードタイムを短縮させることによって、物流管理費用を節減することができる。
【００１１】
多様な実施形態に係る物流管理方法は、トートの進行状態を確認できるユーザインタフェースを提供することによって、より体系的な物流管理を可能にすることができる。
【００１２】
多様な実施形態に係る物流管理方法は、物流センターにおける所定の作業（例：梱包（ｐａｃｋｉｎｇ））のための複数のステーションが存在する場合、各ステーションにトートを効果的に分配して、特定ステーションに対する業務の過負荷を防止することができる。
【図面の簡単な説明】
【００１３】
【図１】本開示の多様な実施形態に係る物流管理システムを示す概略的な構成ブロック図である。
【図２】本開示の一実施形態に係る物流管理システムにおける物流処理過程を説明するための概略図である。
【図３】本開示の一実施形態に係る物流管理方法の概略的なフローチャートである。
【図４】本開示の一実施形態に係る電子装置の表示画面情報を示す図である。
【図５】本開示の一実施形態に係る電子装置の表示情報画面を示す図である。
【図６】本開示の一実施形態に係る電子装置の表示情報画面を示す図である。
【図７】本開示の一実施形態に係る電子装置の表示情報画面を示す図である。
【図８】本開示の多様な実施形態に係る電子装置の概略的な構成ブロック図である。
【発明を実施するための形態】
【００１４】
以下、本発明の実施形態を添付の図面を参照して詳細に説明する。
【００１５】
実施形態を説明するに際して、本発明の属する技術分野でよく知られており、本発明と直接的に関連のない技術内容に対しては、説明を省略する。これは、不要な説明を省略することによって、本発明の要旨を不明瞭にせず、一層明確に伝達するためである。
【００１６】
同様の理由で添付の図面において一部の構成要素は誇張されたり省略されたり概略的に図示された。また、各構成要素のサイズは、実際のサイズを反映するものではない。各図面において、同一または対応する構成要素には、同じ参照番号を付けた。
【００１７】
本発明の利点および特徴、そしてそれらを達成する方法は、添付の図面と共に詳細に後述されている実施形態を参照すると明確になる。しかしながら、本発明は、以下で開示される実施形態に限定されるものではなく、互いに異なる多様な形態で具現され得、ただ本実施形態は、本発明の開示が完全になるようにし、本発明の属する技術分野における通常の知識を有する者に発明の範疇を完全に知らせるために提供されるものであり、本発明は、請求項の範疇により定義されるだけである。明細書全般において、同一の参照符号は、同一の構成要素を示す。
【００１８】
この際、処理フローチャート図面の各ブロックとフローチャート図面の組合せは、コンピュータプログラムインストラクションにより行われ得ることを理解することができる。これらのコンピュータプログラムインストラクションは、汎用コンピュータ、特殊用コンピュータまたはその他プログラム可能なデータプロセッシング装備のプロセッサーに搭載され得るので、コンピュータまたはその他プログラム可能なデータプロセッシング装備のプロセッサーを介して行われるそのインストラクションがフローチャートのブロックで説明された機能を行う手段を生成することになる。これらのコンピュータプログラムインストラクションは、特定の方式で機能を具現するために、コンピュータまたはその他プログラム可能なデータプロセッシング装備を指向できるコンピュータ利用可能またはコンピュータ読み取り可能メモリに保存されることも可能なので、そのコンピュータ利用可能またはコンピュータ読み取り可能メモリに保存されたインストラクションは、フローチャートのブロックで説明された機能を行うインストラクション手段を内包する製造品目を生産することも可能である。コンピュータプログラムインストラクションは、コンピュータまたはその他プログラム可能なデータプロセッシング装備上に搭載されることも可能なので、コンピュータまたはその他プログラム可能なデータプロセッシング装備上で一連の動作段階が行われて、コンピュータで実行されるプロセスを生成してコンピュータまたはその他プログラム可能なデータプロセッシング装備を行うインストラクションは、フローチャートのブロックで説明された機能を実行するための段階を提供することも可能である。
【００１９】
また、各ブロックは、特定の論理的機能を実行するための１つ以上の実行可能なインストラクションを含むモジュール、セグメントまたはコードの一部を示すことができる。また、いくつかの代替実行例では、ブロックで言及された機能が順序を外れて発生することも可能であることに注目しなければならない。例えば、続けて図示されている二つのブロックは、事実上、実質的に同時に行われることも可能であり、または、そのブロックが時に該当する機能によって逆順に行われることも可能である。
【００２０】
本開示の多様な実施形態において使用される「〜部」という用語は、ソフトウェアまたはＦＰＧＡまたはＡＳＩＣのようなハードウェア構成要素を意味し、「〜部」は、任意の役割を行う。しかしながら、「〜部」は、ソフトウェアまたはハードウェアに限定される意味ではない。「〜部」は、アドレッシングし得る保存媒体にあるように構成されることもでき、1つまたはそれ以上のプロセッサーを再生させるように構成されることもできる。したがって、一例として、「〜部」は、ソフトウェア構成要素、オブジェクト指向ソフトウェア構成要素、クラス構成要素およびタスク構成要素のような構成要素と、プロセス、関数、属性、プロシーザー、サブルーチン、プログラムコードのセグメント、ドライバー、ファームウェア、マイクロコード、回路、データ、データベース、データ構造、テーブル、アレイ、および変数を含む。構成要素と「〜部」内で提供される機能は、さらに小さい数の構成要素および「〜部」に結合されるか、追加的な構成要素と「〜部」にさらに分離され得る。それだけでなく、構成要素および「〜部」は、デバイスまたはセキュアマルチメディアカード内の1つまたはそれ以上のＣＰＵを再生させるように具現されることもできる。
【００２１】
図１は、本開示の多様な実施形態に係る物流管理システムを示す概略的な構成ブロック図である。
【００２２】
多様な実施形態によれば、物流管理システムは、電子装置１００（例：サーバー）、ユーザ端末２００、およびネットワーク５０を含むことができる。
【００２３】
電子装置１００（例：サーバー）は、物流管理のための多様な過程を処理するための装置であり、例えば物流センターに入庫される物品の在庫管理、物流センター内での物品の移動管理、または物品の集品作業、分類作業、梱包作業のうち少なくとも１つのための作業処理を管理することができる。一実施形態において、集品は、物流センターに入庫された物品を集めて次の処理を行うことができるように収集する手続きであり、分類は、集品された物品を所定の注文情報に基づいて分類する手続きであり、梱包は、集品されたり分類された物品を配送することができるようにボックスまたはビニルに梱包する手続きに該当し得る。
【００２４】
電子装置１００は、ネットワークサーバーで具現される多数のコンピュータシステムまたはコンピュータソフトウェアを含むことができ、多様な情報をウェブページで構成して提供することができる。例えば、電子装置１００は、イントラネットまたはインターネットのようなコンピュータネットワークを介して他のネットワークサーバーと通信できる下位装置と連結されて作業実行要請を受け付け、それに対する作業を行って実行結果を提供するコンピュータシステムおよびコンピュータソフトウェアを指すことができる。その他にも、前記電子装置１００は、ネットワークサーバー上で動作できる一連の応用プログラムと、内部に構築されている各種データベースを含む広義の概念と理解され得る。例えば、電子装置１００は、ドス（ＤＯＳ）、ウィンドウ（Ｗｉｎｄｏｗｓ）(登録商標)、リナックス（Ｌｉｎｕｘ）（登録商標）、ユニックス（ＵＮＩＸ）(登録商標)、またはＭａｃ  ＯＳ（ＭａｃＯＳ）(登録商標)等の運営体制によって多様に提供されるネットワークサーバープログラムを用いて具現され得る。
【００２５】
ネットワーク５０は、電子装置１００とユーザ端末２００、または電子装置１００と外部装置（不図示）を連結する役割をすることができる。例えば、ネットワーク５０は、ユーザ端末２００が前記電子装置１００と連結されてパケットデータを送受信することができるように接続経路を提供することができる。
【００２６】
本開示の一実施形態に係る物流管理システムの動作は、電子装置１００を介して具現され得、ユーザ端末２００は、ネットワーク５０を介して前記物流管理システムに連結され得る。電子装置１００は、ユーザ端末２００から受信した情報をデータベースに保存したり、前記データベースに保存された情報をユーザ端末２００に提供することができる。
【００２７】
さらに他の実施形態によれば、物流管理システムは、ユーザ端末２００で具現されることもできる。例えば、ユーザは、ネットワーク５０を介して、ユーザ端末２００にアプリケーション形式の物流管理システムを設置して使用することができる。
【００２８】
多様な実施形態に係る物流管理システムは、単一の物理的装置で具現され得、複数の物理的装置が有機的に結合された方式で具現されることもできる。例えば、物流管理システムに含まれた構成のうち一部は、いずれか１つの物理的装置により具現され、前記物流管理システムに含まれた構成のうち残りの一部は、他の物理的装置で具現され得る。例えば、いずれか１つの物理的装置は、電子装置１００の一部で具現され得、他の物理的装置は、ユーザ端末２００の一部または外部装置（不図示）の一部で具現され得る。場合によって、物流管理システムに含まれたそれぞれの構成要素は、それぞれ互いに異なる物理的装置に分散して配置され、前記分散配置された構成要素が有機的に結合されて、物流管理システムの機能および動作を行うように具現されることもできる。
【００２９】
図２は、本開示の一実施形態に係る物流管理システムにおける物流処理過程を説明するための概略的な図である。
【００３０】
物流センター（ｆｕｌｆｉｌｌｍｅｎｔ  ｃｅｎｔｅｒ，ＦＣ）２００は、購買者に配送する物品を貯蔵し管理する倉庫領域に該当し得る。例えば、物流センター２００は、図２に示されたように、多数の区域２０３、２０５、２０７、２０９、２１１、２１３、２１５に区分され得る。前記区域は、物品を入庫して貯蔵し、移動、検索、分類、出庫、および配送するための一連の処理過程を説明するための仮想の区分された空間を意味することもできる。前述した多数の区域のうち少なくとも一部は、本開示の多様な実施形態の範囲内で省略されたり、追加区分されたり、または変更適用され得ることはもちろんである。
【００３１】
図２を参照して多様な実施形態に係る物流処理過程に関する概略的なフローを説明すると、まず、物品は、販売者から提供されて第１区域２０３（例：入庫区域（ｉｎｂｏｕｎｄ  ｚｏｎｅ））から物流センター２００に入庫され得る。前記入庫された物品は、第２区域２０５（例：バッファー区域（ｂｕｆｆｅｒ  ｚｏｎｅ））および第３区域２０７（例：ドロップ区域（ｄｒｏｐ  ｚｏｎｅ））を経て第４区域２０９（例：集品区域（ｐｉｃｋｉｎｇ  ｚｏｎｅ））に伝達されて保管され、購買者から特定物品に対する注文が受け付けられたのにしたがって、前記第４区域２０９から集品された物品は、トート（トートボックス）に収納されて所定の運搬手段２１４を介して第５区域２１１（例：梱包区域（ｐａｃｋｉｎｇ  ｚｏｎｅ））に伝達、梱包され得る。第５区域２１１で梱包が完了した物品は、第６区域２１３（例：ハブ区域（ｈｕｂ  ｚｏｎｅ））に保管されてから、配送員により出庫（ｏｕｔｂｏｕｎｄ）されて、第７区域２１５（例：キャンプ区域（ｃａｍｐ  ｚｏｎｅ））からそれぞれの注文配送地に配送され得る。一方、実施形態において、トートは、集品過程で使用され得、その後、トートは、物品の分類または梱包手続きを行うステーションに移動して、トートに含まれた物品が分類または梱包され得るようにする。各トートは、識別情報を含むことができ、物流管理システムは、トートの識別情報を通じてトートの現在状態を確認することができる。より具体的には、集品、分類および梱包作業者は、作業状態に対応して作業状態情報と共に当該トートの識別情報をシステムに伝送し、システムは、各作業者から受信された情報に基づいてトートに含まれた物品の現在作業進行状態を確認することができる。
【００３２】
より具体的には、第１区域２０３で、販売者から伝達を受けた物品２０２Ａ、２０２Ｂが物流センター２００に入庫され得る。販売者は、例えばトラック２０１等の運送手段を用いて物品２０２Ａ、２０２Ｂを物流センター２００に伝達することができる。前記第１区域２０３で作業者は、配送された物品の種類、入庫された数量、物品の損傷の有無等を確認し、これに関連した情報をユーザ端末２００（または電子装置１００）に提供することができる。例えば、作業者は、所定の条件を満たす物品に限って当該物品を第２区域２０５に伝達することができる。
【００３３】
第２区域２０５は、第４区域２０９（例：集品区域（ｐｉｃｋｉｎｇ  ｚｏｎｅ））に対する予備的な貯蔵所の役割をする空間に該当し得る。例えば、予想注文需要量以上で第４区域２０９に既に貯蔵された物品が存在する場合、これと同じ種類の物品が入庫されると、当該物品は、第２区域２０５に臨時的に貯蔵され得る。第４区域２０９に前記物品に対する追加貯蔵が要求される場合に、作業者は、前記第２区域２０５に貯蔵された物品を第３区域２０７に移動させ、第３区域２０７に移動した物品をさらに第４区域２０９に移動させることができる。例えば、前記移動作業は、フォークリフト（ｆｏｒｋｌｉｆｔｓ）２０６等を用いて行われ得る。
【００３４】
第３区域２０７は、物品が第４区域２０９に配置される前まで前記物品を保管する場所に該当し得る。第３区域２０７で作業者は、ユーザ端末２００を用いて物品に対する識別情報（例：バーコード）を識別（例：スキャン）し、前記物品を第４区域２０９に伝達することができる。第４区域２０９に伝達された物品は、第４区域２０９の特定貯蔵領域（例：棚、箱、トート、冷蔵庫、冷凍庫等）に配置され得る。
【００３５】
例えば、第４区域２０９は、それぞれの貯蔵領域２１０を有する複数のフロアから構成され得る。第４区域２０９で作業者は、ユーザ端末２００を介して貯蔵領域２１０の所定の位置に物品２０８を配置するようとの作業指示情報を受信し、当該作業指示情報を基に物品２０８を貯蔵領域２１０の指定された位置に配置することができる。例えば、作業者は、ユーザ端末２００を用いて配置する物品２０８の識別情報（例：バーコード）を識別し、前記物品２０８を配置する貯蔵領域２１０の特定位置に対応する識別情報（例：バーコード）を識別する方式で、前記第４区域２０９で物品２０８が配置される位置に関連した情報をユーザ端末２００（または電子装置１００）に提供することができる。
【００３６】
一方、第４区域２０９に配置された物品のうち少なくとも一部は、購買者の注文要請に対応して生成された集品作業指示情報に基づいて集品され得、少なくとも１つのトート（トートボックス）に収納され得る。例えば、前記第４区域２０９で作業者は、ユーザ端末２００を介して前記貯蔵領域２１０に配置された物品のうち一部の物品を検索して集品するようとの作業指示情報を受信し、前記作業指示情報に基づいて集品作業を行うことができる。
【００３７】
前記集品完了した物品が収納されたトートは、次の作業を行う目的地に移動することができる。前記トートは、例えば、梱包作業を行うステーションに移動したり、または分類作業を行うステーションに移動することができる。電子装置１００は、前記トートに含まれた物品の特性に基づいて前記トートが移動する目的地（ステーション）を決定し、作業者にこれに関連した情報を提供することができる。
【００３８】
例えば、作業者は、トートを所定の運搬手段２１４（例：コンベヤーベルト、エレベーター、カート、ハンドトラック、ドリー等）を介して第５区域２１１の特定目的地に伝達することができる。
【００３９】
第５区域２１１は、第４区域２０９から伝達された物品を購買者に配送するために、箱、バッグ、またはビニル等を用いて梱包作業を行うステージ領域を含むことができる。また、第５区域２１１は、前記梱包作業が行われることに先立って、物品の分類作業を行うステージ領域をさらに含むことができる。
【００４０】
一実施形態によれば、電子装置１００は、購買者から受け付けられた１つ以上の注文を指定された条件によってバッチ（ｂａｔｃｈ）単位で割り当てることができる。例えば、電子装置１００は、注文の特性または注文された物品の特性に基づいて所定の注文（または物品）をバッチ単位で割り当てることができる。
【００４１】
一例として、電子装置１００は、第４区域２０９で1人の作業者に特定バッチに含まれる物品を一括的に集品するように集品作業指示情報を提供することができる。この場合、作業者は、前記バッチに含まれる物品を全部集品完了するまで集品作業を行うことになり、前記バッチに含まれる物品は、他のバッチに含まれる物品と混ぜられずに、単一のトート（またはトートセット）に収納され得る。例えば、Ａバッチに含まれた物品（物品１、物品２、物品３）は、全部第１トートに収納され得る。前記第１トートは、梱包作業に関連した特定ステージ領域に移動し、Ａバッチに含まれた少なくとも一部の物品は、１つのボックスまたはバッグに梱包されて出庫され得る。
【００４２】
他の例として、電子装置１００は、集品作業をより迅速かつ効率的に処理するために、割り当てられたバッチと関係なく前記第４区域２０９で作業者の位置と隣接する物品を対象として集品作業が行われ得るように複数の作業者に集品作業指示情報を提供することができる。この場合、１つのバッチに含まれた様々な物品が互いに異なる作業者に割り当てられ、前記バッチに含まれる物品は、様々な作業者により集品されて互いに異なるトートに収納され得る。例えば、Ａバッチに含まれた物品（物品１、物品２、物品３）は、それぞれ第１トート、第２トート、および第３トートに収納され得る。前記互いに異なるトートに収納されたバッチ内の物品は、トートに収納された物品を分類する作業に関連したステージ領域に移動し、各バッチに対応する物品が同じトート（またはトートセット）に収納されるように分類する作業が行われ得る。例えば、物品１が収納された第１トート、物品２が収納された第２トート、および物品３が収納された第３トートは、それぞれ分類作業に関連した特定ステージ領域に移動して、第４トートに一括的に収納され得る。このようにバッチ単位で分類作業が行われたトートは、さらに第５区域２１１で梱包作業が行われ得るステージ領域に伝達され得る。
【００４３】
一方、さらに他の例によれば、電子装置１００は、前述した分類作業を省略するための方案として、注文に含まれた物品の特性に基づいて各物品ごとに１つのビニルにより梱包されて出庫されるように処理することもできる。この場合、特定バッチに含まれた物品が同じトート（またはトートセット）に収納されて梱包されなくても良いので、当該トートは、別途の分類作業に関連したステージ領域を経ることなく、すぐに梱包作業に関連したステージ領域に伝達され得る。このような方式で電子装置１００は、所定物品に対する作業処理過程を短縮し、物流管理費用を節減することができる。
【００４４】
電子装置１００は、注文に含まれた物品の特性に基づいてトート（またはトートセット）を分類作業に関連したステージに伝達するかまたは梱包作業に関連したステージに伝達するか否かを決定することができる。例えば、電子装置１００は、物品の特性（例：物品のサイズ、重さ等）に基づいてそれぞれの物品を１つのビニルに梱包して出庫できる物品に該当するかを決定することができる。例えば電子装置１００は、前記それぞれの物品ごとに個別的にビニルに梱包して出庫できる特性の物品（注文）を区分して１つのバッチに割り当てることができる。
【００４５】
第６区域２１３は、第５区域２１１から伝達された梱包された物品２２０を臨時的に貯蔵することができる。第６区域２１３に貯蔵された梱包された物品は、それぞれの配送住所地を基に第７区域２１５に伝達され、第７区域２１５で配送員２２４Ａ、２２４Ｂは、多様な種類の運送手段２２２、２２６を用いて梱包された物品２２０を配送住所地に配送することができる。
【００４６】
図３は、本開示の一実施形態に係る物流管理方法の概略的なフローチャートである。
【００４７】
図３を参照すると、多様な実施形態に係る電子装置１００は、段階３１０で、トートセットに含まれた少なくとも１つのトートを確認することができる。
【００４８】
電子装置１００は、購買者から受け付けられた少なくとも１つの注文に対して１つのバッチ（ｂａｔｃｈ）に割り当てて管理することができる。例えば、１つのバッチには、少なくとも１つの顧客注文が含まれ得る。例えば、電子装置１００は、指定された条件によって少なくとも１つの注文を取り合わせて１つのバッチとして決定することができる。例えば、電子装置１００は、注文が受け付けられた時間に関連した情報に基づいて特定バッチに含まれる少なくとも１つの注文を決定したり、注文（または注文された物品）の特性に基づいて特定バッチに含まれる少なくとも１つの注文を決定することができる。
【００４９】
トートセットは、前記１つのバッチで管理される少なくとも１つの注文に対応する物品が収納されたトートの集合に該当し得る。実施形態においてバッチは、ユーザまたはシステムにより設定された値であり、特定範囲の注文に対応する物品が含まれるトートを含むことができる。一例として、出庫されるべき時間が特定時間以前に該当する物品は、同じバッチに含まれたトートを通じて集品され得る。これに伴い、１つのトートは、当該バッチに含まれた物品のうち集品のための動線を最小化できる物品を含むことができ、ひいては、集品段階でバッチに含まれた全体の物品をそれぞれトートを通じて集品されるようにすることによって、集品の効率が向上し得、適時に配送するために、管理されるべき注文の集品および梱包状態をバッチに含まれたトートの状態を通じて確認することができる。
【００５０】
例えば、トートセットは、当該バッチに含まれた注文（または物品）の特性によって、単一のトートを含んだり、または複数のトートを含むことができる。それぞれのトートは、例えば図２の第４区域２０９で作業者により集品された物品が収納されるトートボックスに該当し得る。それぞれのトートには、１つ以上の物品が収納され得る。段階３２０で、多様な実施形態に係る電子装置１００は、段階３１０で確認した少なくとも１つのトートに収納された物品（または複数物品）の特性に基づいて、前記トートセットに対応するステーションセットを確認することができる。また、実施形態において１つのトートに対応するバッチ情報に基づいて対応するステーションセットが確認され得る。
【００５１】
ステーションセットは、物品が集品された後、トートに収納された状態で次の作業を行うステーションに移動する間に通り過ぎる分岐地点に該当し得る。より具体的には、ステーションセットに含まれたステーションは、トートがステーションセットに割り当てられると、割り当てられたトートに含まれた物品を処理することができる。ステーションセットに含まれたステーションにトートを割り当てる方式は後述することとする。
【００５２】
例えば、電子装置１００は、前記トートに含まれた物品の特性に基づいて、当該物品が集品された後、すぐに梱包作業を行うように設定された物品であるか、または当該物品が集品された後、他のトートに収納された物品と共に梱包され得るように分類作業を経た後、梱包作業を行うように設定された物品であるか否かによって、前記トートセットに対応するステーションセットを確認することができる。
【００５３】
例えば、物流センター２００は、第４区域２０９と第５区域２１１との間の位置に少なくとも１つのステーションセットを含むことができる。第４区域２０９で集品された物品は、前記少なくとも１つのステーションセットを通じて第５区域２１１の特定ステーション領域に移動して次の作業が行われ得る。
【００５４】
一実施形態において、トートに含まれた物品が、集品後にすぐに梱包作業を行うように設定された物品である場合、電子装置１００は、前記物品を含むトートセットを、物品の梱包作業に関連したステーションを含む第１ステーションセットに対応するものと判断することができる。
【００５５】
例えば、集品後にすぐに梱包作業を行うように設定された物品は、ユーザの注文情報、物流センターの商品情報および物品情報のうち少なくとも１つに基づいて選択され得る。これに伴い、1人の顧客が複数の異なる種類の複数の物品を注文する場合にも、各物品は、別途梱包され得、別途梱包された複数の物品を配送員が顧客に配送することができる。一例として、別途梱包される物品は、１つの物品が１つの梱包材内に梱包され得る。
【００５６】
他の実施形態において、前記トートに含まれた物品が、集品後に他のトートに収納された他の物品と共に梱包されるように、分類作業を経て前記梱包作業を行うように設定された物品である場合、電子装置１００は、前記物品を含むトートセットを、物品の分類作業に関連したステーションを含む第２ステーションセットに対応するものと判断することができる。
【００５７】
一方、電子装置１００は、物品の梱包作業に関連したステーションを含むステーションセットが第４区域２０９で複数のフロアごとに設けられている場合、当該トートに対する集品作業が行われたフロアに対応するステーションセットを前記トートセットに対応するステーションセットとして決定することができる。
【００５８】
段階３３０で、電子装置１００は、確認したステーションセットに含まれた少なくとも１つのステーションのうちいずれか１つを、前記トートセットに含まれた少なくとも１つのトートの目的地として決定することができる。
【００５９】
前記トートセットに含まれた少なくとも１つのトートは、段階３３０で決定された目的地に移動して、当該ステーション領域で物品の梱包作業または物品の分類作業のうちいずれか１つが行われ得る。
【００６０】
電子装置１００は、段階３３０で、前記確認されたステーションセットが複数のステーションを含む場合に、所定のスケジューリング方式を用いて前記複数のステーションのうちのいずれか１つのステーションを前記トートセットに含まれた少なくとも１つのトートの目的地として決定することができる。
【００６１】
例えば、電子装置１００は、段階３３０で、特定のトートセットが複数のステーションを含むステーションセットに対応するものと確認された場合、ラウンドロビン方式を通じて、前記トートセットに含まれた少なくとも１つのトートそれぞれの目的地を前記複数のステーションのうちいずれか１つのステーションとして決定することができる。一方、実施形態においてラウンドロビンを通じてトートをステーションに割り当てることを記載したが、ラウンドロビン以外の他のスケジューリング方式を通じてトートをステーションに割り当てることもでき、ステーションセットに含まれたステーションの作業負荷を考慮してステーションセットに到達するトートを適応的に作業負荷の低いステーションに割り当てる方式で本明細書の実施形態が具現され得る。
【００６２】
例えば、所定のトートセットが第１トート、第２トート、第３トート、および第４トートを含み、前記トートセットに含まれた物品の特性に基づいて、前記トートセットが物品の梱包作業に関連した第１ステーションセットに対応するものと判断した場合、電子装置１００は、前記第１ステーションセットに含まれたいずれか１つのステーションを前記第１トート〜第４トートの目的地として決定することができる。
【００６３】
例えば、前記第１ステーションセットが複数のステーション（例：第１ステーション、第２ステーション、および第３ステーション）を含む場合、電子装置１００は、ラウンドロビン方式を用いて、第１トート〜第４トートの目的地を決定することができる。例えば、第１トートの目的地は、第１ステーションとして決定され、第２トートの目的地は、第２ステーションとして決定され、第３トートの目的地は、第３ステーションとして決定され、第４トートの目的地は、さらに第１ステーションとして決定され得る。前記第１ステーション〜第３ステーションは、同一に梱包作業を行うように設定されたステーション領域に該当し得る。電子装置１００は、トートセットに含まれたトートを複数のステーションに実質的に均等に分配することによって、特定ステーションにおける作業負荷が過度に増加することを防止することができる。
【００６４】
一方、図３に示されていないが、多様な実施形態に係る電子装置１００は、ディスプレイ（またはユーザ端末２００のディスプレイ）を介して、トートセットに関する情報および前記トートセットに対応するものと確認されたステーションセットに関する情報を表示することができる。
【００６５】
例えば、電子装置１００は、トートセットに含まれた少なくとも１つのトートの移動位置に関連した情報、トートセットの作業状態に関する情報、およびトートセットの出庫要請時間情報のうち少なくとも一部を提供することができる。
【００６６】
例えば、電子装置１００は、前記トートセットに含まれた少なくとも１つのトートの移動位置に関連した情報として、前記少なくとも１つのトートが目的地またはステーションセットに移動を完了したか否かに関する情報を表示することができる。例えば、電子装置１００は、前記表示動作で、それぞれのトート目的地またはステーションセットに移動中のトートと、移動が完了したトートを互いに区別されるように異なる方式で表示することによって、トートセットに含まれた少なくとも１つのトートの移動状況に関する情報を提供することができる。
【００６７】
例えば、電子装置１００は、トートセットの作業状態情報として、トートセットに含まれる各トートの集品完了の有無に関連した情報を表示することができる。例えば、電子装置１００は、トートセットに含まれたトートが現在集品中であるかまたは集品作業が完了したか否かに関する情報を表示することができる。
【００６８】
作業者（作業管理者）は、前記表示情報を確認することによって、トートセットに含まれるそれぞれのトートの移動状態および作業状態を直観的に識別し、トートセットをより効果的に管理することができる。
【００６９】
図４は、本開示の一実施形態に係る電子装置の表示画面情報を示す図である。
【００７０】
図４を参照すると、多様な実施形態に係る電子装置１００は、トートセットに関する情報４０１、４０２、４０３、４０５および前記トートセットに対応するステーションセットに関する情報４０４を表示画面を介して出力することができる。
【００７１】
一実施形態によれば電子装置１００は、物流センター２００で管理される複数のトートセットのうち、集品が完了したトートを１つ以上含むトートセットに関する情報を前記表示画面に出力することができる。
【００７２】
例えば、電子装置１００は、ユーザの情報照会時点を基準として、指定された期間（例：最近２日）以内に新規生成されたトートセットのうち、集品が完了したトートを少なくとも１つ含むトートセットを検索して当該情報を表示することができる。例えば、電子装置１００は、前記検索されたトートセットが複数の個数である場合、各トートセットの出庫要請時間情報に基づいて、出庫要請時間が早い順に前記トートセットを羅列して表示することができる。
【００７３】
一方、電子装置１００は、前記表示されたトートセットに含まれたそれぞれのトートに対する出庫作業が全部完了した場合、当該トートセットに関する情報を前記表示画面から除外させることができる。
【００７４】
すなわち、一実施形態に係る電子装置１００は、トートセットに含まれるトートのうちいずれか１つのトートに対する集品の完了に対応してトートセットに関する情報を表示画面に出力し、前記トートセットに含まれるトート全体に対する梱包および出庫の完了に対応して前記トートセットに関する情報を前記表示項目から除外することができる。これを通じて、現在集品後に出庫前状態であるトートセットの作業進行に関する情報を効果的に提供することができる。
【００７５】
一方、多様な実施形態に係る電子装置１００は、集品作業後に別途の分類作業を経ることなくすぐに梱包作業を行うように決定されたトートセットに限って前記表示画面に情報を出力することができる。電子装置１００は、前記表示画面を介して集品作業後にすぐに梱包作業を行うように設定されたトートセットに対する作業進行に関する情報を提供することができる。
【００７６】
多様な実施形態によれば、電子装置１００は、前記トートセットに関する情報照会時に、指定された条件を満たすそれぞれのトートセットを示すトートセット識別情報４０１と、前記トートセットに含まれるそれぞれのトートを示すトート識別情報４０５を表示することができる。また、電子装置１００は、それぞれのトートセットに対する作業状態情報４０２、出庫要請時間情報４０３、そしてトートセットに含まれたそれぞれのトートの移動位置に関する情報４０５を表示することができる。
【００７７】
トートセットの作業状態情報４０２は、例えば、それぞれのトートセットの集品作業が完了したか否かに関する情報であり、「集品中」または「集品完了」のうちいずれか１つで表示され得る。他の例として、前記トートセットの作業状態情報４０２は、各トートセットの集品作業完了の有無、分類作業完了の有無、または梱包作業完了の有無に関する情報のうち少なくとも一部を含むこともできる。例えば前記表示画面で照会されるトートセットは、集品作業後に別途の分類作業を経ることなく梱包作業が行われるように設定されたもの等に該当し得、この場合、特定トートセットの集品作業が完了し、梱包作業のためのステーションに移動が完了して梱包作業を行う状態である場合、当該トートセットの作業状態は、「分類完了」または「梱包中」で表示され得る。
【００７８】
トートセットの出庫要請時間情報４０３は、トートセットに対応する注文の予想発送日付（ｅｘｐｅｃｔｅｄ  ｓｈｉｐｐｉｎｇ  ｄａｔｅ）に基づいて決定される作業期限管理のための情報に該当し得る。一実施形態において電子装置１００は、出庫要請時間情報４０３に基づいて、前記出庫要請時間が差し迫った順にトートセットを羅列して表示することができる。
【００７９】
トートセットに対応するステーションセットに関する情報４０４は、前記トートセットに含まれる少なくとも１つのトートが次の作業を行うステーションに移動する過程で経由し得る分岐地点の識別情報に該当し得る。例えば、トートセットに対応するステーションセットは、前記トートセットの集品作業が行われた集品作業場所に基づいて決定され得る。例えば、前記トートセットに対応するステーションセットは、前記集品作業場所と同じフロア（ｆｌｏｏｒ）に位置するステーションセットに該当し得る。
【００８０】
一方、多様な実施形態に係る電子装置１００は、トートセットに含まれたトート情報４０５に関連して、それぞれのトートに対応するトートの識別情報と共に前記トートの移動位置に関する情報を含むように表示することができる。
【００８１】
例えば、トート情報４０５は、それぞれのトートセットに含まれるトートが目的地（またはステーションセット）に移動を完了したか否かによって異なる方式で表示され得る。例えば、電子装置１００は、それぞれのトート目的地に移動が進行中のトートと、移動が完了したトートが互いに区別されるようにトート識別情報を異なる方式で表示することができる。例えば、それぞれのトートに対応するトート識別情報の背景色、背景模様、ハイライト表示、フォント、アンダーライン等を相異に表示して、それぞれのトートの移動状態に関する情報を提供することができる。他の実施形態において、電子装置１００は、前記トート情報４０５の項目で梱包作業が完了したトートに対応するトート識別情報を前記移動中のトートおよび移動が完了したトートと異なる方式で表示する方式で、個別トートの作業進行情報を提供することもできる。
【００８２】
例えば、図４に示された表示画面を介して、ユーザ（作業管理者）は、トートセット識別番号が４５３である第１トートセットの場合、トート識別番号４５３２１３の第１トートを含み、前記第１トートは、集品が完了し、前記第１トートセットに対応するステーションセット（Ｙ  Ｌｉｎｅ）側に移動が完了し、前記第１トートセットの出庫要請時間は、２０２０年３月２４日１９時３０分であることを確認することができる。
【００８３】
また、トートセット識別番号が４５２である第３トートセットは、少なくとも６個のトート（トート識別番号４５２１０１、トート識別番号４５２６１４、トート識別番号４５２９０３、トート識別番号４５２２４５、トート識別番号４５２２８８、トート識別番号４５２６６２）を含み、これら６個のトートは、全部集品が完了し、第３トートセットに対応するステーションセット（Ｘ  Ｌｉｎｅ）側に４個のトート（トート識別番号４５２６１４、トート識別番号４５２９０３、トート識別番号４５２２４５、トート識別番号４５２６６２）は、移動が完了し、２個のトート（トート識別番号４５２１０１、トート識別番号４５２２８８）は、現在移動中であり、前記第３トートセットの出庫要請時間は、２０２０年３月２４日１９時３０分に該当することを確認することができる。
【００８４】
一方、一実施形態に係る電子装置１００は、前記表示画面で特定ステーションセットに対応するトートセットを選択的に検索できるインターフェース４０６を含むことができる。例えば、ユーザは、前記インターフェース４０６を介していずれか１つのステーションセット（例：Ｙ  Ｌｉｎｅ）に対応するトートセット（例：トートセット識別番号４５３）のみを検索して選択的に表示することができる。
【００８５】
図５は、本開示の一実施形態に係る電子装置の表示情報画面を示す図である。
【００８６】
多様な実施形態によれば、電子装置１００で管理する所定の物流センター２００は、少なくとも１つのステーションセット（例：Ｘ  Ｌｉｎｅ、Ｙ  Ｌｉｎｅ、Ｚ  Ｌｉｎｅ）と、前記ステーションセットそれぞれに含まれた少なくとも１つのステーション（例：Ｘ１〜Ｘ７、Ｙ１、Ｚ１）を含むことができる。
【００８７】
電子装置１００は、「ステーションセット設定変更」５０３の項目を用いてユーザから前記物流センター２００に含まれたステーションセットおよびステーションの情報を設定する入力を受信することができる。例えば、図５に示された表示画面で出力されるそれぞれのステーションは、物品の梱包作業に関連したステーションに該当し得る。例えば、前記第２ステーションセット（Ｙ  Ｌｉｎｅ）は、物品の梱包作業に関連したステーションＹ１と物品の分類作業に関連したステーション（例：Ｙ２）（不図示）を含むことができる。ユーザは、前記第２ステーションセットに含まれた複数のステーションのうち梱包作業に関連したステーションＹ１のみを図５のステーション項目に含ませることができる。
【００８８】
例えば、第１ステーションセット（Ｘ  Ｌｉｎｅ）のように、物品の梱包作業に関連したステーションＸ１〜Ｘ７を複数個含むものと設定された場合、電子装置１００は、前記第１ステーションセット（Ｘ  Ｌｉｎｅ）に対応するものと確認されたトートセットの各トートを、所定のスケジューリング方式を用いて前記複数の梱包作業に関連したステーションＸ１〜Ｘ７に割り当てることができる。例えば、電子装置１００は、トートセットに含まれたそれぞれのトートに対する目的地を、ラウンドロビン方式を用いて、前記第１ステーションセット（Ｘ  Ｌｉｎｅ）に含まれた前記ステーションＸ１〜Ｘ７のうちいずれか１つとして決定することができる。
【００８９】
図６は、本開示の一実施形態に係る電子装置の表示情報画面を示す図である。例えば図６は、図５の表示情報画面で特定トートセットに対応する識別情報を選択するユーザ入力の受信によって、前記選択されたトートセットに関する詳細情報を表示する画面を例示的に示す図である。
【００９０】
図６を参照すると、多様な実施形態に係る電子装置１００は、ユーザの入力に基づいてトートセットに関する詳細情報を表示することができる。
【００９１】
例えば、前記トートセットに関する詳細情報は、当該トートセットに対応する識別情報（例：トートセットＩＤ  「４５３」）６０１、トートセットの作業状態情報６０２、６０８（例：「集品中」、「集品完了」）、トートセットの作業管理者に関する情報６０３、６０９（例：管理者ＩＤ  「Ｊｏｈｎ」、管理者接続時間情報「２０２０−０７−３１  １４：３６：１５」、管理者接続の有無情報（例：「ログイン」、「ログアウト」））、トートセットの出庫要請時間情報６０４（例：「２０２０−０７−３１  １７：４５：００」）、トートセットに含まれるトートの集品完了時間情報６０５（例：「２０２０−０７−３１  １４：３９：３９」）、トートセットに対応するステーションセットおよびトート目的地情報６０６（例：「梱包Ｚ  Ｌｉｎｅ−Ｚ１」、およびトートセットに含まれるトートに対応する識別情報（例：カート（トート）「４５３２１３」）６０７、６１２のうち少なくとも１つを含むことができる。
【００９２】
また、前記トートセットに関する詳細情報は、前記トートセットに含まれる１つ以上の注文に関する情報６１０、６１１（例：出庫番号情報、注文番号情報）をさらに含むことができる。例えば、電子装置１００は、前記トートセットに含まれる１つ以上の注文に関する情報のうちいずれか１つに対するユーザ入力を受信したのにしたがって、当該注文情報の詳細情報をさらに表示するユーザインタフェースを提供することもできる。
【００９３】
図７は、本開示の一実施形態に係る電子装置の表示情報画面を示す図である。例えば図７は、図５の表示情報画面で特定トートに対応する識別情報を選択するユーザ入力の受信によって、前記選択されたトートに関する詳細情報を表示する画面を例示的に示す図である。
【００９４】
図７を参照すると、多様な実施形態に係る電子装置１００は、ユーザの入力に基づいて特定トートに関する詳細情報を表示することができる。
【００９５】
例えば、トートに関する詳細情報は、当該トートに対応する識別情報７０１、７１６（例：トート識別情報「４５６８６１」）、トートの次の作業情報７０２（例：トート用途「梱包」）、トートの目的地情報７０３（例：「Ｚ１」ステーション）、トートの作業状態情報７０４、７０５（例：トートの目的地への移動の有無「Ｔｏｔｅ移動完了」、移動完了時間「２０２０−０７−３１  １４：２５：１９」、作業要請時間「２０２０−０７−３１  １４：２０：２５」）、トートに対応するトートセット情報７０７（例：トートセット識別情報」４５６」）、トートに対応するトートセットの作業情報７０８（例：Ｂａｔｃｈ  Ｊｏｂ  ＩＤ  「１２７７６７０４９」、「集品完了」）、トートに対応するトートセットの出庫要請時間情報７０９（例：２０２０−０７−３１  １７：４５：００）、前記トートの作業位置情報７１０、７１１、７１２（例：リバッチロケーション、リビンロケーション、梱包ロケーション「Ｚ  Ｌｉｎｅ−Ｚ１」）、およびトートに含まれた注文別の詳細情報（例：各注文の集品完了の有無に関する情報７１３、各注文に含まれた物品情報７１４、各注文に対応する出庫番号情報７１５、各注文別の集品完了時間情報７１７）のうち少なくとも一部を含むことができる。例えば、前記トートに関する詳細情報を表示する表示画面は、トートの作業状態を変更するためのインターフェース７０６をさらに含むこともできる。
【００９６】
図８は、本開示の多様な実施形態に係る電子装置の概略的な構成ブロック図である。
【００９７】
図８を参照すると、多様な実施形態に係る電子装置１００（例：サーバー）は、プロセッサー１１０、データベース１２０、ディスプレイ１３０、および通信モジュール１４０のうち少なくとも１つを含むことができる。
【００９８】
プロセッサー１１０は、本開示の多様な実施形態に係る物流管理方法を行うための一連の段階を処理することができる。プロセッサー１１０は、電子装置１００の他の構成要素を全般的に制御することができる。
【００９９】
例えば、プロセッサー１１０は、指定された条件を満たす特定トートセットに含まれる少なくとも１つのトートを確認し、前記少なくとも１つのトートに含まれた物品の特性に基づいて、トートセットに対応するステーションセットを確認することができる。
【０１００】
プロセッサー１１０は、前記トートセットに対応するステーションセットに含まれた少なくとも１つのステーションのうちいずれか１つを前記少なくとも１つのトートの目的地として決定することができる。例えば、プロセッサー１１０は、所定のスケジューリング方式（例：ラウンドロビン方式）を用いて、ステーションセットに含まれた複数のステーションのうちいずれか１つをトートの目的地として決定することができる。
【０１０１】
プロセッサー１１０は、その他にも図３を参照して説明した本開示の多様な実施形態に係る物流管理に関連した多様な機能を実行することができる。
【０１０２】
データベース１２０は、電子装置１００の所定の保存空間に具現されたデータ構造であり、データの保存、検索、削除、編集、または追加等の機能が自由に行われ得る。例えば、データベース１２０は、データの保存、検索、削除、編集、または追加等の機能を処理するためのフィールドまたは構成要素を有し得る。
【０１０３】
データベース１２０は、電子装置１００の多様な機能に関連したデータを保存することができる。例えば、データベース１２０は、物流センターに関連した多様な情報を保存することができ、プロセッサー１１０の実行動作のための命令語またはデータを保存することができる。
【０１０４】
ディスプレイ１３０は、電子装置１００の動作に関連した多様な情報を表示することができる。例えば、ディスプレイ１３０は、トートセットに関する情報、トートセットに対応するステーションセットに関する情報、およびトートセットに含まれるトートに関する情報等を表示することができる。一実施形態に係る電子装置１００は、ディスプレイ１３０を含まなくてもよく、通信モジュール１４０を介して前記表示される情報を他の装置（例：ユーザ端末２００）に伝送して、他の装置に設けられたディスプレイを介して前記情報が表示され得るように表示情報を提供することもできる。
【０１０５】
通信モジュール１４０は、電子装置１００のデータベース１２０に保存された情報またはプロセッサー１１０により処理された所定の情報を他の装置に伝送したり、他の装置から電子装置１００に所定の情報を受信する機能を行うことができる。例えば、通信モジュール１４０は、ユーザ端末２００から所定のユーザ入力情報を受信することができる。実施形態において通信モジュール１４０は、情報を送受信するためのトランシーバーを含むことができる。
【０１０６】
なお、本明細書と図面には、本発明の好ましい実施形態について開示し、たとえ特定用語が使用されても、これは、ただ本発明の技術内容を容易に説明し、発明の理解を助けるための一般的な意味で使用されたものであって、本発明の範囲を限定しようとするものではない。ここに開示された実施形態の他にも、本発明の技術的思想に基づく他の変形例が実施可能であることは、本発明の属する技術分野における通常の知識を有する者に自明である。
【符号の説明】
【０１０７】
５０  ネットワーク
１００  電子装置
１１０  プロセッサー
１２０  データベース
１３０  ディスプレイ
１４０  通信モジュール
２００  ユーザ端末
２００  物流センター
２０１  トラック
２０２Ａ  物品
２０２Ｂ  物品
２０３  第１区域
２０５  第２区域
２０６  フォークリフト
２０７  第３区域
２０８  物品
２０９  第４区域
２１０  貯蔵領域
２１１  第５区域
２１３  第６区域
２１４  運搬手段
２１５  第７区域
２２０  物品
２２２  運送手段
２２４Ａ  配送員
２２４Ｂ  配送員
２２６  配送手段
４０１  トートセット識別情報
４０２  作業状態情報
４０３  出庫要請時間情報
４０４  ステーションセットに関する情報
４０５  トート識別情報
４０６  インターフェース
６０１  識別情報
６０２  作業状態情報
６０３  作業管理者に関する情報
６０４  出庫要請時間情報
６０５  集品完了時間情報
６０６  トート目的地情報
６０８  作業状態情報
６０９  作業管理者に関する情報
６１０  トートセットに含まれる１つ以上の注文に関する情報
６１１  トートセットに含まれる１つ以上の注文に関する情報
７０１  識別情報
７０２  作業情報
７０３  目的地情報
７０４  作業状態情報
７０５  作業状態情報
７０６  インターフェース
７０７  トートセット情報
７０８  作業情報
７０９  出庫要請時間情報
７１０  作業位置情報
７１１  作業位置情報
７１２  作業位置情報
７１３  集品完了の有無に関する情報
７１４  物品情報
７１５  出庫番号情報
７１６  識別情報
７１７  集品完了時間情報
【要約】
【課題】物流管理方法およびこれを行う電子装置を提供する。
【解決手段】多様な実施形態に係る物流管理方法は、トートセットに含まれた少なくとも１つのトートを確認する段階と、前記少なくとも１つのトートに含まれた物品の特性に基づいて、少なくとも１つのステーションセットのうち前記少なくとも１つのトートに対応するステーションセットを確認する段階と、前記確認されたステーションセットに含まれた少なくとも１つのステーションのうちいずれか１つを前記少なくとも１つのトートに対応する目的地として決定する段階と、を含むことができる。その他、他の実施形態が可能である。
【選択図】図３【図１】
0006966612.tif 000002
【図２】
0006966612.tif 000003
【図３】
0006966612.tif 000004
【図４】
0006966612.tif 000005
【図５】
0006966612.tif 000006
【図６】
0006966612.tif 000007
【図７】
0006966612.tif 000008
【図８】
0006966612.tif 000009